(57)【要約】複数ある測定機器（１０ａ〜１０ｎ）のうちの任意の一つを選択して、その測定機器の電源スイッチをオン操作すると、その選択された測定機器の識別情報がデータ収集装置（１００）に送信される。データ収集装置（１００）は受信した識別情報から選択された測定機器を識別し、その測定機器の使い方を使用者に音声、画面表示などでもって知らせる。
2003036583.tif 000002
【特許請求の範囲】
【請求項１】
識別情報及び測定値の送信が可能な複数の測定機器と、該複数の測定機器から送信された識別情報および測定値を受信して記憶するデータ収集装置とからなるデータ収集システムにおいて、
前記データ収集装置は、受信した前記識別情報に基づいて、該識別情報に対応した測定機器の使い方を案内する動作を行うことを特徴とする、
上記のデータ収集システム。
【請求項２】
前記識別情報は、測定機器に対して所定の操作を行うことによって送信されることを特徴とする、請求項１に記載のデータ収集システム。
【請求項３】
前記測定機器の所定の操作は、前記識別情報の送信以外の所定の動作を実行するための操作を兼ねていることを特徴とする、請求項２に記載のデータ収集システム。
【請求項４】
前記所定の操作は、前記測定機器による測定動作を実行するために行われる操作であることを特徴とする、請求項２または３に記載のデータ収集システム。
【請求項５】
前記所定の操作は、前記測定機器の電源オン操作であることを特徴とする、請求項２〜４のいずれか１項に記載のデータ収集システム。
【請求項６】
前記所定の操作は、前記測定機器の測定動作を開始させるための操作であることを特徴とする、請求項２〜４のいずれか１項に記載のデータ収集システム。
【請求項７】
前記データ収集装置は、受信した前記識別情報に基づいて前記複数の測定機器から１つの測定機器を選択するとともに、該選択した測定機器から送信される測定値のみを受信する受信状態となることを特徴とする、請求項１〜６のいずれか１項に記載のデータ収集システム。
【請求項８】
前記測定機器は、前記測定値に前記識別情報を加えて送信することを特徴とする請求項７項に記載のデータ収集システム。
【請求項９】
前記データ収集装置は、前記測定値に加えられた前記識別情報が、選択した測定機器を示す識別情報と一致する場合のみ、前記測定値を受信することを特徴とする、請求項８に記載のデータ収集システム。
【請求項１０】
前記データ収集装置は、前記測定値を受信すると前記選択を解除することを特徴とする、請求項７に記載のデータ収集システム。
【請求項１１】
前記データ収集装置は、前記受信状態で、前記選択した測定機器を示す識別情報とは異なる識別情報を受信した場合に、前記選択した測定機器を示す識別情報とは異なる識別情報に対応付けられた測定機器から送信される測定値のみを受信する受信状態となることを特徴とする、請求項８に記載のデータ収集システム。
【請求項１２】
前記データ収集装置は、前記測定機器の選択から第１の時間が経過する間にその選択した測定機器から識別情報を受信しない場合には、その選択した測定機器について測定を促す報知をすることを特徴とする、請求項８に記載のデータ収集システム。
【請求項１３】
前記データ収集装置は、前記測定機器の選択から前記第１の時間経過後の第２の時間が経過する間に、前記選択した測定機器から識別情報を受信しない場合には、測定機器の選択を解除することを特徴とする、請求項１１に記載のデータ収集システム。
【請求項１４】
前記測定機器は、電源がオンの状態で所定の条件を満たした場合に、自動的に電源をオフの状態に切り替えるオートパワーオフ機能を有し、
前記選択した測定機器が、前記オートパワーオフ機能により電源がオフの状態になる前に、前記データ収集装置が前記測定を促す報知をする
ことを特徴とする、請求項１２に記載のデータ収集システム。
【発明の詳細な説明】
技術分野
本発明は、複数の測定機器で測定したデータをデータ収集装置により収集するデータ収集システムに関する。
背景技術
近年、一般家庭での健康管理を目的とした在宅健康管理システムが普及してきている。その一例が、例えば日本特許第３０５３０９１号に開示されている。この在宅健康管理システムは、健康データを測定する血圧計，体温計，体重計，体脂肪計，心電計，血糖値計などの複数の健康測定機器と、これらの健康測定機器から送信される健康データを受信する端末装置とから構成されている。そして、この端末装置から、通信ネットワークを介して病院，保健センター，介護センター等にある外部端末に健康データが送信されるようになっている。
この在宅健康管理システムは、複数種類の測定機器（健康測定機器）とそれら測定機器から識別情報及び測定値を受信し記憶するデータ収集装置（端末機器）とから成るという点で、データ収集装置を構成していると言える。
ところで、このようなデータ収集装置を構成する多数の種類の測定機器のすべてについてその使用方法を使用者が正確に把握しておくことを要求するのは一般的には無理なことである。また、使用者が選択した測定機器を正しく操作しなかったときや選択した測定機器が正しく動作しなかった場合は、使用者にただちにこの事態を知らせて使用者に適切な対処をとらせる必要がある。
しかし、従来のデータ収集装置は、使用者が選択した測定機器の使い方を案内する機能や、また、選択した測定機器を使用者が正しく操作しなかったときや選択した測定機器が正しく動作しなかったときの報知機能が十分でなかった。
発明の開示
本発明の目的は、測定機器から送信されるデータを記憶するデータ収集装置が、複数の測定機器からどの測定機器で測定が行われるかを測定前に識別しておく必要がある場合でも、使いやすいデータ収集システムを提供することにある。
上記目的を達成するため、本発明によるデータ収集システムは、他の機器への識別情報及び測定値の送信が可能な複数の測定機器と、これら複数の測定機器から送信された識別情報および測定値を受信して記憶するデータ収集装置とから構成されて、受信した識別情報に基づいて該識別情報に対応した測定機器の使い方を案内する動作を行う。
本発明は以下の態様を取りえる。
前記識別情報は、測定機器に対して所定の操作を行うことによって送信される。
識別情報は、測定機器に対して識別情報送信以外の所定の操作をすることによりその操作実行に伴って送信される。
識別情報は、測定機器に対して測定動作を実行するための操作を行うことによって送信される。
識別情報は、測定機器に対してその電源スイッチをオン操作することによって送信される。
識別情報は、測定機器に対して測定動作を開始させる操作を行うことによって送信される。
識別情報は、測定値に加えられた状態で送信される。
データ収集装置は、受信した識別情報に基づいて複数の測定機器から１つの測定機器を選択するとともに、該選択した測定機器から送信される測定値のみを受信する受信状態となる。また、この選択は、測定値を受信することで解除される。
選択した測定機器からは測定値にその測定機器の識別情報も加えられて送信され、一方、前記データ収集装置は、測定値に加えられた前記識別情報が、選択した測定機器を示す識別情報と一致する場合のみ、前記測定値を受信する。
データ収集装置は、受信した識別情報に基づいて前記複数の測定機器から１つの測定機器を選択し、かつ、その測定機器の選択から第１の時間が経過する間にその選択した測定機器から識別情報を受信しない場合には、その選択した測定機器について測定を促す報知をする。
データ収集装置は、前記第１の時間経過した時点からさらに第２の時間が経過する間に、選択した測定機器から識別情報を受信しない場合には、測定機器の選択を解除する。
前記測定機器は、電源オン操作が行われてから所定時間内に操作が行われない場合に電源をオフ状態にするオートパワーオフ機能を有し、該オートパワーオフが実行されるタイミングを、前記第１の時間経過後に設定する。
本発明は以上の構成を備えるので、複数の測定機器のうちのどれで測定が行われるかを測定前にデータ収集装置の側で識別して、その識別した測定機器に対してその使用方法を使用者に音声、画面表示などの形で提供できるので、使いやすいデータ収集システムを構築することができる。
発明を実施するための最良の形態
図１は、本発明によるデータ収集システムが適用される健康管理システムの概要を示す。この健康管理システムは、自宅にいる使用者が複数の生体データを測定し、それを病院や介護センターなどに送信して健康管理などに用いるものである。
図１において、符号１０ａ〜１０ｎは、例えば、血圧計、体重計、体脂肪計、体温計などの生体データを測定する生体測定装置であり、符号１００は健康管理装置であり、符号５０は外部サーバである。
生体測定装置１０ａ〜１０ｎ、及び健康管理装置１００は使用者の自宅で用いられ、外部サーバ５０は病院や介護センター等に設置されている。生体測定装置１０ａ〜１０ｎと健康管理装置１００とは無線でのデータの送受信が可能であり、生体測定装置１０ａ〜１０ｎで測定した生体データを健康管理装置１００に送信したり、健康管理装置１００からは、受信中のデータが途中で途絶えるなどの通信異常が発生したかどうかを示す応答コードが生体測定装置１０ａ〜１０ｎに送信される。また、健康管理装置１００と外部サーバ５０とは電話回線などで接続されており、生体データなどのデータの送受信が可能である。
次に、図１に示したデータ収集システムの使用方法を説明する。
まず、使用者は、生体測定装置１０ａ〜１０ｎの一つを選択して生体データを測定する。例えば体重計を選択して電源をオンし、体重計に載って測定を行う。そして、測定が終了して電源をオフにすると、測定した生体データが、データ受信待ち状態になっている健康管理装置１００に送信される。健康管理装置１００は受信したデータを記憶する。測定中には、健康管理装置１００から音声や動画により、使用者が選択した体重計の使い方のガイダンスが行われる。同様に、他の生体測定装置で測定を行うと、測定中に健康管理装置１００から使用者が選択した生体測定装置に対応したガイダンスが行われるとともに、各生体測定装置の電源をオフしたときに生体データが健康管理装置１００に送信される。健康管理装置１００は、受信した生体データを記憶し、記憶した生体データを表示部にグラフ表示する。使用者は表示部を見ることによって各生体データの変動傾向を知ることができる。すなわち、健康管理装置１００は、生体データを収集するデータ収集装置を構成している。
生体測定装置１０ａ〜１０ｎによる測定が終わると、使用者は、健康管理装置１００から外部サーバ５０に生体データを送信する。健康管理装置１００の送信スイッチを操作すると、その日に測定した生体データが電話回線を介して病院や介護センター等の外部サーバ５０に送信される。
次に、図１に示す複数の生体測定装置のうちの一つについて図２を用いて詳細に説明する。
生体測定装置１０ａは、制御／演算部１５と、この制御／演算部１５にそれぞれ接続された電源スイッチ１１、生体センシング手段１２、測定スイッチ１３、測定異常判定手段１４、記憶手段１６、送受信手段１７、及び時間計測手段１８とを備えている。
制御／演算部１５は、電源スイッチ１１や測定スイッチ１３の操作に基づいて各手段１２、１３，１６ー１８の制御や演算などを行う。
電源スイッチ１１は生体測定装置１０ａの電源のオン／オフ操作を行い、例えば押しボタン式のスイッチで構成される。生体測定装置１０ａの電源がオフの状態で電源スイッチ１１を操作すると電源がオンになり、逆に電源がオンの状態で電源スイッチ１１を操作すると電源がオフになるように、制御／演算部１５によって制御される。すなわち、電源スイッチ１１を１回操作するごとに、生体測定装置１０ａは電源オンの状態と電源オフの状態とが交互に切り替わる。
生体センシング手段１２は、所定の生体データを検出する手段であり、例えば、生体測定装置１０ａが血圧計である場合はカフと圧力センサであり、体温計の場合はサーミスタなどである。
測定スイッチ１３は、生体データの測定動作を開始させるためのスイッチで、例えば押しボタン式のスイッチで構成される。生体測定装置１０ａの電源がオンの状態で測定スイッチ１３を操作すると、制御／演算部１５が生体センシング手段１２や測定異常判定手段１４，記憶手段１６，送受信手段１７，時間計測手段１８の動作を制御して測定動作が開始される。
測定異常判定手段１４は、生体測定装置１０ａの電源がオンになってから電源がオフになるまでの間の操作や、測定された生体データなどにより、測定が正しく行われたか否かを判定する。例えば、測定開始直前や測定中に電源スイッチ１１を押して電源をオフ状態にしてしまったときとか、あるいは、通常の値をはるかに越える測定値が検出されたときなどには、測定異常判定手段１４は測定異常と判断する。
記憶手段１６は、生体測定装置１０ａ〜１０ｎを識別する識別コードと生体データとを記憶する。識別コードは予め記憶手段１６に記憶されている。生体センシング手段１２で測定された生体データは、制御／演算部１５を介して記憶手段１６に書き込まれる。
送受信手段１７は識別コード，生体データ，後述する異常判定データを健康管理装置１００に無線送信する。時間計測手段１８は、電源スイッチ１１により電源がオンされてから経過した時間を計測する。生体測定装置１０ａはオートパワーオフ機能を有しており、制御／演算部１５は、時間計測手段１８が計測した時間に基づいて電源オン状態から電源オフ状態に切り替える。
ここで、生体測定装置１０ａの電源オン状態とオフ状態について説明する。
電源オフ状態では、制御／演算部１５が、生体センシング手段１２，測定異常判定手段１４，送受信手段１７，及び時間計測手段１８を非動作状態に制御する。その結果、測定スイッチ１３を押しても測定は開始されず、しかも生体測定装置１０ａが表示手段を有する場合はその表示手段に何も表示されない。
ここで、電源スイッチ１１を押して電源オフ状態から電源オン状態に切り替えると、まだ（続いて測定スイッチ１３が押されない限り）制御／演算部１５は、生体センシング手段１２，測定異常判定手段１４，送受信手段１７，及び時間計測手段１８を非動作状態に制御し続ける。続いて測定スイッチ１３が押されると、制御／演算部１５は各手段１２、１４、１７、１８を動作させて測定を開始することができる。
電源スイッチ１１は測定スイッチ１３を兼用することができる。この場合、生体測定装置１０ａが電源オフ状態であるときに電源スイッチ１１を押すと、制御／演算部１５は、生体センシング手段１２，測定異常判定手段１４，送受信手段１７，及び時間計測手段１８を動作状態に制御して、測定動作を可能にする。
図２に示した生体測定装置１０ａでは、電源スイッチ１１を押して電源オフ状態から電源オン状態へ切り替えたとき、制御／演算部１５は、記憶手段１６から識別コードを読み出すとともに、送信手段１７の動作を制御して、その読み出した識別コードを健康管理装置１００に送信する。
なお、電源スイッチ１１を押して電源オフ状態から電源オン状態へ切り替えた後、さらに測定スイッチ１３が押されたときに、制御／演算部１５が記憶手段１６から識別コードを読み出すとともに、送信手段１７の動作を制御してその読み出した識別コードを健康管理装置１００に送信するようにしてもよい。
さらに、電源スイッチ１１を押して電源オン状態から電源オフ状態へ切り替えたとき、制御／演算部１５は、記憶手段１６から識別コードと各生体データと異常判定データとを読み出すとともに、送信手段１７の動作を制御してこれら読み出した情報を健康管理装置１００に送信する
上の説明は図１に示す複数の生体測定装置のうちの一つ（生体装置１０ａ）の説明であるが、残りの生体装置１０ｂ、‥‥１０ｎもこの生体装置１０ａと同じ構成である。
次に図１の健康管理装置１００について図３を用いてさらに詳細に説明する。
健康管理装置１００は、制御／演算部１０７と、この制御／演算部１０７にそれぞれ接続された音声入力手段１０１、第一送受信手段１０２、操作手段１０３、データ入力手段１０４、時間計測手段１０５、記憶手段１０６、グラフ化手段１０８、動画手段１０９、音声報知手段１１０、表示手段１１１、及び第二送受信手段１１２とを有する。
制御／演算部１０７は、音声入力手段１０１，操作手段１０３，データ入力手段１０４の操作や、第一送受信手段１０２が受信したデータ等に基づいて、制御／演算部１０７に接続されている各手段の動作を制御する。音声入力手段１０１は、使用者が発した音声を入力する手段である。制御／演算手段１０７は、音声入力手段１０７から入力された音声の認識処理を行い、音声が認識できた場合にはそれに応じた処理を行う。
第一送受信手段１０２は、生体測定装置１０ａ〜１０ｎから送信された識別コード，生体データ，異常判定データを受信したり、受信中のデータが途中で途絶えるなどの通信異常が発生したかどうかを示す応答コードを生体測定装置１０ａ〜１０ｎに対して送信する。操作手段１０３は、例えばマウスや操作スイッチなどから構成され、健康管理装置１００の電源オンオフ操作や、生体データ受信モード，詳細設定モード，センター送信モード，ユーザー選択モードなどのモード切換操作や、各モードにおける操作等を行う。
データ入力手段１０４は、例えば文字キーや数字キーなどから構成され、健康管理装置１００を使用するユーザー番号の入力などに用いる。記憶手段１０６は第一送受信手段１０２が受信した生体データを記憶する。各生体データは記憶手段１０６に日単位で数ヶ月分記憶される。グラフ化手段１０８は、記憶手段に記憶されている生体データを表示手段１１１にグラフにして表示する。表示手段１１１は、生体データをグラフにして表示し、また、後述するガイダンス用の動画表示やユーザー番号の入力設定画面などを表示する。
動画手段１０９と音声報知手段１１０は使用者に操作方法や生体測定装置１０ａ〜１０ｎの測定方法などを案内する。動画手段１０９は表示手段１１１にアニメーションなどを表示し、音声報知手段１１０はスピーカで構成され、音声を報知する。
第二送受信手段１１２は、外部サーバー５０とのデータの送受信を行う手段であって、外部サーバー５０には生体データなどを送信し、また、外部サーバからは病院からのメッセージデータなどを受信する。
制御／演算部１０７が第一送受信手段１０２を受信状態に制御することによって、健康管理装置１００は生体データ受信モードとなる。このとき、第一送信手段１０２は生体データ、識別コード及び異常判定データを生体測定装置１０ａ〜１０ｎから受信し、受信したデータを記憶手段１０６に記憶し、さらに受信した内容に応じた処理を行う。さらに、生体データ受信モード中に音声入力手段１０１または操作手段１０３による操作が行われた場合には、それに応じた処理を行う。
次に、生体測定装置１０ａ〜１０ｎが健康管理装置１００に送信するデータ（識別コード、生体データ、異常判定データ）について具体的に説明する。
生体測定装置１０ａ〜１０ｎを識別するための識別コードは、それが体重計の場合は“ＢＵＹ”，体脂肪計の場合は“ＷＡＭ”というように、他の生体測定装置と重複しないように、英文字３文字から構成される。したがって、例えば、健康管理装置１００は“ＢＵＹ”の識別コードを受信するとその識別装置を送信した生体測定装置は体重計であると判断する。
生体データは各生体測定装置１０ａ〜１０ｎ毎に定められた所定桁数の数字から構成される。生体測定装置１０ａ〜１０ｎが測定した測定値が小数点以下の数字を含まないときは測定値をそのまま生体データとする。一方、測定値が小数点以下の数字を含む場合はそれを１０倍、１００倍などして小数点を含まない数字にして、それを生体データとする。例えば、血圧計が測定した脈拍値が７３パルス／分の場合は“０７３”が血圧計の生体データとなり、また、体重計が測定した体重が“６５．５ｋｇ”の場合は、この値を１０倍して４桁の数字で表した“０６５５”が体重計の生体データとなる。
異常判定データは１桁のアルファベットで構成される。例えば、測定操作が正常に行われ、測定値が通常考えられる範囲内であった場合には、異常判定データ“Ａ”を出力する。一方、測定装置の電源をオンしたあとで、測定が開始される前に電源をオフした場合には、異常判定データ“Ｂ”を出力する。また、測定が開始されたが、測定値が設定した上限以上または設定した下限以下だったとき（すなわち、測定値が通常考えられる範囲内でなかったとき）は異常判定データ“Ｅ”を出力する。その他、測定異常の種類に応じて適宜“Ｃ”，“Ｄ”、“Ｆ”‥‥の異常判定データを出力するようにする。
そこで、健康管理装置１００は、生体測定装置１０ａ〜１０ｎから異常判定データ“Ａ”が付与された生体データを受け取ったときは、その生体データを（例えば、１／１０にして小数点のついた）測定値に戻して記憶手段１０６に記憶する。なお、生体測定装置１０ａ〜１０ｎから“Ａ”以外の異常判定データが付与された生体データを受け取ったときは、その生体データに対応する測定値は記憶手段１０６に記憶しない。
次に、図２及び図４を用いて生体測定装置の測定動作を説明する。ここでは一例として、使用者が複数の生体測定装置１０ａ〜１０ｎから血圧計１０ａを選択して測定動作を行うものとして説明する。図４のフローチャートにおいて、符号Ｓ１〜Ｓ２０は生体測定装置１０ａの各処理（ステップ）を示す。
先ず、血圧計である生体測定装置１０ａの電源スイッチ１１を操作する（Ｓ１）。すると、生体測定装置１０ａの電源が入り測定可能な状態になる。電源がオンになることによって、選択された生体測定装置１０ａの送受信手段１７は自己の生体測定装置は血圧計であることを表す識別コードを送信する（Ｓ２）。
この識別コードを健康管理装置１００が受信すると、健康管理装置１００は、後述するように、識別コードで特定される生体測定装置の使い方を案内する動作を音声及び／または動画により行う。例えば、血圧計の識別コードを受信すると、健康管理装置１００は「カフを巻いてください。」と音声で報知し、人物のアニメーションも表示画面上に表示される。そこで、この案内に従って測定者はカフを腕に巻いて測定の準備をすることができる。
このように、電源スイッチ１１の電源オン操作によって識別情報を送信すると、使用者が、識別コードを送信するための専用のスイッチを操作しなくても、測定動作を実行するために必要な操作をするだけで、自動的に識別コードが健康管理装置１００に送信され、ガイダンスが行われる。従って、わずらわしい送信のための操作が不要になるという効果を有している。
また、前述のように、測定スイッチ１３により、測定動作を開始させるための操作が行われたときに識別コードを送信する場合も、同様な効果を有している。
次に、制御／演算部１５は（前のＳ２で識別情報を送信したあとさらに）電源スイッチ１１が操作されたか否かを判断する（Ｓ３）。ここで、電源スイッチ１１が操作されなかったと判断すると、次に制御／演算部１５は測定スイッチ１３が操作されたか否かを判断する（Ｓ６）。ここで、測定スイッチ１３が操作されたと判断すると、測定動作が開始され（Ｓ９）、カフに加圧空気が送られるとともに、圧力センサでカフ内の圧力を検出する。測定動作が正常に行われ、測定が終了すると（Ｓ１２）、測定異常判定手段１４は測定が正常に行われたと判定し、生体データとともに健康管理装置１００に送信する異常判定データに、測定が正常に行われたことを示す“Ａ”をセットする（Ｓ１５）。
斯く測定が終了して（Ｓ１２）、異常判定データに“Ａ”がセットされた（Ｓ１５）あとで、電源スイッチ１１が操作されたか否かを制御／演算部１５が判断する（Ｓ１６）。
ここで、電源スイッチ１１が操作された（すなわち、測定が終了したので電源をオフにした）と判断すると、送受信手段１７は血圧計であることを特定する識別コードを送信し（Ｓ１７）、続いてＳ９で得られた測定値に対応する生体データを送信し（Ｓ１８）、さらに異常判定データ（この場合は“Ａ”）を送信する（Ｓ１９）。これらの情報が送信されると、制御／演算部１５が各手段の動作を制御して生体測定装置１０ａの電源をオフにする。
なお、時間計測手段１８はＳ１２で測定が終了してからの時間を計測しており、Ｓ１６であらかじめ定めた時間内に電源スイッチ１１が操作されなかった場合には自動的にＳ１７へ進み、Ｓ１７〜Ｓ２０での処理が行われる。すなわち、測定が正常に行われて終了しても（Ｓ９−Ｓ１２−Ｓ１５）、その終了した時点から一定時間内（例えば、５分以内）に電源スイッチ１１が押されないと（Ｓ１６の判断Ｎｏ）、オートパワーオフによって、識別コード，生体データ，異常判定データが送信手段１７から自動的に送信される。このように、生体測定装置の電源オン状態からオフ状態への切り替え（またはオートパワーオフ）にともなって生体データを送信することにより、使用者が生体データを送信するための特別な操作をしなくてもデータの送信をすることができる。
さらに、異常判定データに正常を表す“Ａ”以外のデータがセットされる場合について説明する。ここで、“Ａ”以外の異常判定データがセットされるのは、Ｓ１で電源スイッチ１１がオン操作されてからＳ１６で電源スイッチ１１がオフ操作されるまでの間である。
Ｓ１で電源スイッチ１１による電源オン操作が行われた後、測定スイッチが操作される（Ｓ６）前に電源スイッチ１１が押されて電源オフ操作が行われたと制御／演算部１５が判断したときは（Ｓ３；判断Ｙｅｓ）、測定異常判定手段１４は、異常操作と判定して（Ｓ４）、異常判定データに、測定を開始する前に電源がオフされたことを表す“Ｂ”をセットする（Ｓ５）。
また、電源スイッチ１１がＳ１でオン操作されてからあらかじめ定めた時間内（例えば５分以内）に測定スイッチが操作されなかったことを制御／演算部１５が検出したときは（Ｓ６；判断Ｎｏ）、異常操作と判断する（Ｓ７）。そして、測定異常判定手段１４は、異常判定データに、測定スイッチ１３が所定時間内に押されなかった（測定が行われる前にオートパワーオフになった）ことを表わす“Ｃ”をセットする（Ｓ８）。なお、電源スイッチ１１がＳ１でオン操作されてから経過した時間は時間計測手段１８が計時する。
さらに、Ｓ９で測定中の動作に異常が生じたと制御／演算部１５が判断したとき（Ｓ１０）、例えば、カフへの加圧時間が長すぎる場合、測定異常判定手段１４は、異常判定データに測定動作が異常であることを表す“Ｄ”をセットする（Ｓ１１）。
さらに、Ｓ１２で測定が終了したが、得られた測定値があらかじめ設定した範囲を越えている場合は（すなわち、測定値が設定した上限値以上か設定した下限値以下であった場合）、制御／演算部１５は測定値は信頼し得る値でないと判定する（Ｓ１３）。その結果、測定異常判定手段１４は、異常判定データに、測定値が異常値であることを示す“Ｅ”をセットする（Ｓ１４）。
Ｓ５，Ｓ８，Ｓ１１またはＳ１４で異常判定データ“Ｂ”、“Ｃ”、“Ｄ”、または“Ｅ”が設定された後は、前述のＳ１７〜Ｓ２０の処理が行われる。すなわち、測定異常判定手段１４が正常な測定ではないという結果を出した場合には、測定者が電源オフ操作をしなくても、自動的に識別コード，生体データ，異常判定データが送信され、当該生体測定装置の電源をオフ状態にする。
制御／演算部１５がＳ１０で異常と判断する他の例としては、各生体測定装置１０ａ〜１０ｎでの測定中に電池の電圧が所定レベル以下に低下した場合である。また、制御／演算部１５がＳ１４で異常と判断する他の例としては、体温計で測定値が３２℃〜４２℃の範囲をはずれた場合、また、体脂肪計で測定値が５％〜５０％の範囲からはずれた場合である。
図４のフローチャートで示す生体測定装置の測定動作では、異常判定データは必ずＳ１９で送信するようにしている。これに代えて、Ｓ１５で異常判定データに“Ａ”がセットされた場合は異常判定データを送信せず、Ｓ４，Ｓ７，Ｓ１０，Ｓ１３のいずれかで異常判定が行われた場合のみ異常判定データをＳ１９で送信するようにしてもよい。
また、図４のフローチャートで示す生体測定装置の測定動作では、測定で得られた生体データは必ずＳ１８で送信するようにしている。これに代えて、Ｓ１５で異常判定データに“Ａ”がセットされた場合のみ生体データを送信して、異常判定データに“Ａ”以外がセットされたときは送信しない（Ｓ１８の処理をスキップする）ようにしてもよい。
次に図３及び図５を用いて健康管理装置の動作を説明する。図５のフローチャートにおいて、符号Ｓ１〜Ｓ２２は健康管理装置１００の各処理（ステップ）を示す。
先ず、操作手段１０３を操作して健康管理装置１００の電源をオンにする（Ｓ１）。次に、操作手段１０３を操作してユーザー番号を入力する（Ｓ２）。健康管理装置１００は複数のユーザーが使用可能であり、各ユーザーにはユーザー番号が割り当てられている。Ｓ２でユーザー番号が入力されると、第一送受信手段１０２が生体データ測定器１０ａ〜１０ｎからの識別コード受信待ちの状態になる（Ｓ３）。ここで識別コードの受信が無かった場合は音声入力手段１０１や操作手段１０３からの操作入力待ちになる（Ｓ４）。そして、操作入力がない場合はＳ３に戻る。すなわち、識別コードの受信および操作入力がなければ、Ｓ３での処理とＳ４での処理とが繰り返される（識別コード受信待ちモード）。そして、Ｓ４で操作手段１０３による電源オフ操作が行われると、健康管理装置１００の電源がオフし、動作が終了する。
生体測定装置１０ａ〜１０ｎのいずれかで電源スイッチ１１が押されると（図４のフローチャートのＳ１での処理が行われると）、その生体測定装置からそれを特定する識別コードが健康管理装置１００に送信される（図４フローチャートのＳ２）。
健康管理装置１００はこの識別コードを受信すると（Ｓ３）、制御／演算部１０７はこの識別コードに基づいて生体測定装置１０ａ〜１０ｎの種類を識別する（Ｓ６）。すなわち、識別コードを送信したのが、血圧計、体重計、体脂肪計、体温計、‥‥のいずれであるかを識別する。ここで、正常に生体測定装置１０ａ〜１０ｎの種類の識別が行われると、識別した生体測定装置の使い方を案内する動作を行う（Ｓ７）。例えば、「カフを巻いてください。」（血圧計）、「体重計にのってください。」（体重計）などのガイダンスを音声報知手段１１０が報知するとともに、動画手段１０９による表示手段１１１でのガイダンスも行われる。このように、使用者がいずれかの生体測定装置１０ａ〜１０ｎの電源スイッチ１１をオン操作することで、使用者が用いる測定装置に対応したガイダンスが健康管理装置１００により行われる。また、Ｓ６で識別コードが正常に識別できなかった場合は再びＳ３の受信待ち状態にもどる。
Ｓ７で測定ガイダンスをした後は、Ｓ８で生体測定装置１０ａ〜１０ｎからの識別コード受信待ちの状態になる。ここで使用者が、Ｓ６で識別した生体測定装置と同じ装置を操作すると（すなわち、その生体測定装置について図４のフローチャートのＳ３からＳ２０までの処理が行われると）、図４のフローチャートのＳ１７でその生体測定装置から健康管理装置１００に識別コードが送信されてくる。
このとき健康管理装置１００は、識別コード受信待ちの状態にあって（Ｓ８）、この送信されてきた識別コードを受信して、その受信した識別コードが、制御／演算部１０７が先にＳ６で受信した識別コードと同じかどうかを判断する。そして、同じであると判断すると、図４のフローチャートのＳ１８とＳ１９での処理で送信された生体測定装置からの生体データ及び異常判定データを受信する（Ｓ９）。
一方、健康管理装置１００がＳ８で識別コード受信待ちの状態にあるとき、使用者が、先にＳ６で識別した生体測定装置とは異なる測定装置についてその電源スイッチ１１を操作して電源をオン状態にすると、Ｓ８では、先にＳ６で識別した識別コードとは異なる識別コードがその生体測定装置から健康管理装置１００に送信される（図４のフローチャートのＳ２）。そこで、健康管理装置１００はこの識別コードを受信して（Ｓ８）、今受信した識別コードは先にＳ３で受信した識別コードとは異なると判断して、前述のＳ９での処理を行わずＳ６に戻る。そして、ここで、後で受信したほうの識別コードに基づいて生体測定装置の種類を識別し、正常に識別されると前述のガイダンスが行われ（Ｓ７）、正常に識別されなければＳ３に移行して識別コード受信待ちの状態となる。
つまり、この健康管理装置１００では、Ｓ８及びＳ６で処理によって、図４のフローチャートのＳ１８での処理で生体測定装置から送ってくる生体データが、同じく図４のフローチャートのＳ１７で送られてきた識別情報で識別された生体測定装置の生体データであることを確認したうえで、受信している。さらに、ある生体測定装置の電源スイッチ１１をオン操作したあと、その生体測定装について測定が終了されない間に別の生体測定装置の電源スイッチ１１をオン操作したときは、後から電源スイッチをオン操作した生体測定装置によって測定された生体データを取得するように配慮している。
このように、この健康管理装置１００では、生体測定装置を選択するときに識別コードを受信するだけではなく、生体データを受信するときにも識別コードを受信することにより、受信した生体データが選択した生体測定装置からのものであることが保証されるので、生体データ受信時の信頼性が増す。
また、時間計測手段１０５はＳ６で識別コードを受信してからの経過時間を計測しており、Ｓ８で第一の時間（例えば、３分）以内に健康管理装置１００が識別コードを受信しない場合には、測定を促す報知をする（Ｓ１３）。例えば、音声報知手段１１０が、「まだ測定が行われておりません。測定を開始してください。」と報知する。これは、測定者が生体測定装置の電源スイッチ１１をオン操作してもまだ測定スイッチ１３を押さないでいるのを、測定者に知らせて測定を促すためのガイダンスである。この測定を促すガイダンスは、音声の代わりに同じメッセージを表示手段１１１に表示させてもよいし、“再測定”という表示を表示装置１１１に表示させてもよい。
さらに、Ｓ８で第１の時間経過後の第２の時間（例えば、７分）以内に識別コードを受信しなかった場合には、電源スイッチ１１がオン操作された生体測定装置からの生体データの受信を解除することを報知し（Ｓ１４）、Ｓ３の処理に戻る。例えば、音声報知手段１１０が「測定値を受信できませんでした。もう一度はじめから測定を開始してください。」と報知する。この第２の時間は、図４のフローチャートのＳ１６で生体測定装置の電源スイッチ１１が押されてから所定時間が経過したかどうかと判断されるその所定時間（前述の例では、５分）よりも長い時間に設定されている。すなわち、特定の生体測定装置の電源スイッチ１１がオン操作されてから所定時間（５分）経過してもなお測定スイッチ１３が押されないままにあってオートパワーオフになった後に、健康管理装置１００の音声報知手段１１０がその旨報知する。
次に、生体測定装置から図４のフローチャートのＳ１９で送信された異常判定データを受信して（Ｓ１０）その内容をチェックする。その結果、
（１）異常判定データに“Ｂ”がセットされていることがわかると、特定の生体測定装置の電源スイッチ１１がオン操作されたが測定が開始される前に（すなわち、測定スイッチ１３が押されない間に）電源スイッチがオフ操作されたと判断して、その旨のガイダンスを行う（Ｓ１５）。例えば、音声報知手段１１０により「測定を行う前に血圧計の電源が切れました。もう一度測定してください。」と報知する。
（２）異常判定データに“Ｃ”がセットされていることがわかると、特定の生体測定装置の電源スイッチ１１がオン操作されてから所定時間を経過してもなお測定スイッチ１３が押されなかったため（すなわち、測定が開始されなかったため）自動的に電源スイッチがオフになったと判断して、その旨のガイダンスを行う（Ｓ１６）。例えば、音声報知手段１１０により、「測定を行う前に血圧計の電源が自動的に切れました。もう一度測定してください。」と報知する。
（３）異常判定データに“Ｄ”がセットされていることがわかると、特定の生体測定装置により測定が開始されたものの、測定動作に異常が発生したと判定し、その旨のガイダンスを行う（Ｓ１７）。例えば、音声報知手段１１０により「正しく測定されませんでした。もう一度測定してください。」と報知する。
（４）異常判定データに“Ｅ”がセットされていることがわかると、特定の生体測定装置により測定が行われて測定値が記憶されたが、その測定値が通常の測定ではありえない値であるため、測定方法に誤りがあると判定し、その旨のガイダンスを行う（Ｓ１８）。例えば「測定値が異常です。もう一度正しい測定方法で測定してください。」と報知する。
（５）異常判定データに“Ａ”がセットされていることがわかると、特定の生体測定装置地により正常に測定がなされたと判定し、その旨のガイダンスを行う（Ｓ１８）。例えば、音声報知手段１１０により「血圧の測定が終了しました。ただいまの測定値は、最高血圧が１２５ｍｍＨｇ、最低血圧が７６ｍｍＨｇです。」と報知して、生体測定装置から図４のフローチャートのＳ１８で送信された生体データの値を報知する（Ｓ１１）。そして、この測定値が記憶手段１０６に記憶されるとともに、グラフ化手段１０８により表示手段１１１にグラフ表示され（Ｓ１２）る。そして、Ｓ１２，Ｓ１５，Ｓ１６，Ｓ１７，Ｓ１８の処理が終わるとＳ３の受信待ち状態に戻り、Ｓ６で識別した生体測定装置の受信待ち状態が解除される。
また、Ｓ４での操作入力待ちで、音声入力手段１０１または操作手段１０３により、ユーザー選択操作、センター送信操作、詳細設定操作が行われた場合は、それぞれ、ユーザー選択モード（Ｓ２２）、センター送信モード（Ｓ２１）、詳細設定モード（Ｓ１９）に移行し、ユーザー選択動作、センター送信動作、各種設定動作（Ｓ２０）が行われる。これらの動作が終了するとＳ４の操作入力待ちに戻る。また、Ｓ４で、音声入力手段１０１または操作手段１０３による電源オフ操作が行われると、健康管理装置１００の電源がオフし、動作が終了する。（Ｓ５）
本発明によるデータ収集システムが適用される健康管理システムでは、図１に示すように、生体測定装置１０ａ〜１０ｎと健康管理装置１００との間の通信が無線で行われているが、生体測定装置１０ａ〜１０ｎと健康管理装置１００とを接続線で接続して有線で行ってもよい。すなわち、体測定装置１０ａ〜１０ｎから健康管理装置１００にデータの送信ができれば、その送信形態にかかわらず、本発明を適用することができる。
また、本実施形態では、健康管理装置１００が生体測定装置１０ａ〜１０ｎから識別コードを受信することにより、識別コードに対応した生体測定装置のガイダンスを行ったが、例えば、ガイダンスではなく、健康管理装置１００が、健康測定装置１０ａ〜１０ｎの種類に応じて測定環境を制御してもよい。例えば、心電計などの周囲の電磁／静電ノイズを受けやすい生体測定装置の識別コードを受信した場合に、健康管理装置１００がノイズを発生しやすいテレビなどの周辺の機器の電源を自動的に切るように制御したり、体温計のように室温の影響を受ける生体測定装置の識別コードを受信した場合に、健康管理装置１００が、測定に適した室温かどうかを確認するため室温の測定を行ったり、この測定した温度に基づいてエアコンの制御などを行うようにしてもよい。
生体測定装置１０ａ〜１０ｎの使い方を案内する動作は、使用方法を把握していない使用者のために行うのであるが、例えば、図１〜図５に記載した実施形態とは異なり、使用者が、健康管理装置１００側の操作で案内動作を開始させるようにした場合には、各生体測定装置１０ａ〜１０ｎで測定を行う毎に健康管理装置１００での案内開始操作も必要である。
これに対し、図１〜図５に記載した実施形態では、生体測定装置１０ａ〜１０ｎの使い方を案内する動作が、健康管理装置１００で行われるにもかかわらず、その案内動作を開始させるための操作を、生体測定装置１０ａ〜１０ｎ側で行うようにしたため、使用者にとって操作が簡単で大変使い易い。
【図面の簡単な説明】
図１は、本発明によるデータ収集システムが適用される健康管理システムの概要を示すブロック図である。
図２は、図１の健康管理システムを構成する生体測定装置の構成要素を示すブロック図である。
図３は、図１の健康管理システムを構成する健康管理装置の構成要素を示すブロック図である。
図４は、図２に示す生体測定装置の測定動作を説明するフローチャートである。
図５は、図３に示す健康管理装置の動作を説明するフローチャートである。
【図１】
2003036583.tif 000003
【図２】
2003036583.tif 000004
【図３】
2003036583.tif 000005
【図４】
2003036583.tif 000006
【図５】
2003036583.tif 000007
【国際調査報告】
2003036583.tif 000008
2003036583.tif 000009
2003036583.tif 000010